(57)【要約】  本発明は、デジタル無線信号の受信及びデータストリームの提供のための受信機（１）であって、デジタル信号を受信し、中間信号に復調するようにそれぞれ構成された複数の受信部（５，６，７，８）と、品質向上のため、中間信号を合成した結果として合成済みの中間信号を生成する合成部（１７）と、複数の受信部（５，６，７，８）と接続され、第１動作モードでは復号化用に複数の受信部（５，６，７，８）の少なくとも１つの中間信号を選択し、または第２動作モードでは中間信号の品質向上のため合成部（１７）に複数の受信部からの中間信号を提供するように形成されたスイッチ部（１６）と、スイッチ部（１６）と合成部（１７）とに接続され、スイッチ部（１６）により選択された中間信号または合成部（１７）からの合成済みの中間信号をデータストリームを提供するために復号化するチャネル復号部（１３）と、を備える、デジタル無線信号の受信及びデータストリームの提供のための受信機（１）に関する。
2009516444.tif 000002
【特許請求の範囲】
【請求項１】
デジタル無線信号の受信及びデータストリームの提供のための受信機（１）であって：
デジタル信号を受信し、中間信号に復調するようにそれぞれ構成された複数の受信部（５，６，７，８）と；
品質向上のため、前記中間信号を合成した結果として合成済みの中間信号を生成する合成部（１７）と：
前記複数の受信部（５，６，７，８）と接続され、第１動作モードでは復号化のために前記複数の受信部（５，６，７，８）の少なくとも１つの前記中間信号を選択し、または第２動作モードでは中間信号の品質向上のため前記合成部（１７）に前記複数の受信部からの前記中間信号を提供するように形成されたスイッチ部（１６）と；
前記スイッチ部（１６）と前記合成部（１７）とに接続され、データストリームを提供するために、前記スイッチ部（１６）により選択された前記中間信号または前記合成部（１７）からの前記合成済みの中間信号を復号化するチャネル復号部（１３）と；
を備える、デジタル無線信号の受信及びデータストリームの提供のための受信機（１）。
【請求項２】
動作モードを選択するように構成された制御部（１８）を備え、前記制御部（１８）は、前記第２動作モードでは同一の無線信号に前記受信部（５，６，７，８）を調整し及び前記第１動作モードでは異なる無線信号に前記受信部（５，６，７，８）を調整するように前記受信部（５，６，７，８）と接続されている、請求項１に記載の受信機。
【請求項３】
各中間信号（Ｚ１，Ｚ２）は複数のフレームを有し、前記複数のフレーム内には、複数のデータサービスのそれぞれがブロックとして配列され、前記制御部（１８）は、時間が重ならずに複数の前記中間信号のブロックが受信されるときに前記第１動作モードと前記第２動作モードとの間の切替えを行うために、前記ブロックの時間位置を検出する検出部を有する、請求項２に記載の受信機。
【請求項４】
前記スイッチ部（１６）は、前記第１動作モードでは前記チャネル復号部（１３）に第１及び第２中間信号（Ｚ１、Ｚ２）を提供するよう形成され、前記制御部（１８）は、前記第２動作モードでは前記第１中間信号の元になる無線信号と前記第２中間信号の元になる無線信号とを受信するために前記複数の受信部（５，６，７，８）を交互に調整する、請求項３に記載の受信機。
【請求項５】
前記合成部（１７）は、前記合成済みの中間信号を取得するために前記中間信号の和を計算する、請求項１〜請求項４のいずれかに記載の受信機。
【請求項６】
前記合成部（１７）は、和を計算する前に、前記中間信号の元となる無線信号の各受信品質に従った重み係数によって前記中間信号の重み付けを行うように形成される、請求項５に記載の受信機。
【請求項７】
前記中間信号は、フレーム内のブロックとして提供される複数の前記データサービスを含んだアンサンブルを有し、前記スイッチ部（１６）は、デインターリーバ部（１１）に前記中間信号を提供するように構成され、前記デインターリーバ部（１１）は、前記中間信号から１度に少なくとも１つのブロックを選択し、及び前記チャネル復号部（１２）に連続してブロックを提供するように構成される、請求項１〜請求項６のいずれかに記載の受信機。
【請求項８】
前記デインターリーバ部（１１）は、時間の重なった異なる中間信号のブロックを一時的に格納し、更なる別のスイッチ部によって前記異なる中間信号のブロックを連続して前記チャネル復号部（１３）へ出力させる記憶部を有し、前記チャネル復号部（１３）は、複数のデータストリームを提供するための前記異なる中間信号のブロックを復号化するように形成される、請求項６に記載の受信機（１）。
【請求項９】
デジタル無線信号の受信、及び少なくとも１つのデータストリームの提供のための方法であって：
複数のデジタル無線信号を受信するステップと；
前記複数の無線信号のそれぞれを中間信号に復調するステップと；
第１動作モードでは復号化のために少なくとも１つの前記中間信号を選択し、または第２動作モードでは前記中間信号の品質向上のために複数の前記中間信号を合成して合成済みの中間信号を生成するステップと；
選択された前記中間信号、または前記合成済みの中間信号をデータストリームに提供するために復号化するステップと；
を含む、デジタル無線信号の受信、及び少なくとも１つのデータストリームの提供のための方法。
【請求項１０】
前記第２動作モードでは同一の無線信号を複数回受信するステップ；
及び前記第１動作モードでは異なる無線信号を受信するステップ；
を含む、請求項９に記載の方法。
【請求項１１】
前記中間信号はそれぞれ複数のフレームを有し、前記フレーム内では複数のデータサービスがブロックとしてそれぞれ配列され、複数の前記中間信号のブロックの時間位置が検出され、時間が重ならないで前記複数の中間信号のブロックが受信されるときに、複数のデータストリームを取得して前記中間信号の品質を向上させるために前記第１動作モードと前記第２動作モードとの間の切替えが行われる、請求項１０に記載の方法。
【請求項１２】
前記中間信号は、フレーム内にブロックとして提供される複数のデータサービスを含むアンサンブルを有し、複数の前記中間信号から１度に少なくとも１つのブロックが選択され、選択された前記ブロックが連続して復号化される、請求項９〜請求項１１のいずれかに記載の方法。
【請求項１３】
時間が重なった異なる中間信号のブロックが一時的に格納され、前記ブロックは復号のために連続して転送される、請求項１２に記載の方法。
【発明の詳細な説明】
【技術分野】
【０００１】
本発明は、デジタル無線信号の受信、及びデータストリームの提供のための受信機、特に二受信機システムに関する。さらに、本発明は、デジタル無線信号の受信方法、及びデータストリームの提供方法に関する。
【背景技術】
【０００２】
デジタル無線信号のための受信機、特にＤＡＢ（Ｄｉｇｉｔａｌ  Ａｕｄｉｏ  Ｂｒｏａｄｃａｓｔｉｎｇ）受信機（単一受信機システム）は、通常、伝送チャネル（無線信号）のみを介してデジタルデータを受信する。その際、特定数の、ラジオ番組等の様々なサービスが提供可能である。このようなサービスではアンサンブル（Ｅｎｓｅｍｂｌｅ）が形成され、無線信号内の連続するフレームを用いて伝送が行われる。
【０００３】
従来のＤＡＢ受信機の場合、伝送チャネル上のアンサンブルから音声信号等のサービスを選択すると同時に、他のアンサンブル、即ち更なる別の伝送チャネル上で、データサービス等の更なる別のサービスを利用することは通常不可能である。
【０００４】
さらに、従来のＤＡＢ受信機は、伝送チャネルに障害が発生した際に、復号化された受信信号について通常高くなるビットエラー率を低減することは十分に可能ではない。従って、例えば、音声信号中に耳に障るノイズが発生する。
【発明の開示】
【発明が解決しようとする課題】
【０００５】
本発明の課題は、少なくとも１つのデータストリームを提供するための、デジタル無線信号を受信する受信機を利用可能にすることにある。受信機は、異なるアンサンブルの複数のデータストリームを受信することができ、データストリームのエラー率を改善するためのダイバーシティ受信を実行することが可能である。さらに、本発明の課題は、このような受信機を動作させる方法を提供することにある。
【０００６】
本課題は、デジタル無線信号の受信及びデータストリームの提供のための受信機によって、並びに特許請求の範囲に記載の独立請求項に基づく対応する方法によって解決される。
【０００７】
本発明の更なる好適な実施形態は、特許請求の範囲に記載の従属請求項で示される。
【課題を解決するための手段】
【０００８】
本発明の第一の観点によれば、デジタル無線信号の受信及びデータストリームの提供のための受信機が設けられる。受信機は、デジタル信号を受信し、中間信号に復調するようにそれぞれ構成された複数の受信部を含む。さらに、受信機は、品質向上のため、中間信号を合成した結果として合成済みの中間信号を生成する合成部を含む。さらに、受信機は、複数の受信部と接続され、第１動作モードでは復号化用に複数の受信部の少なくとも１つの中間信号を選択し、または第２動作モードでは中間信号の品質向上のため合成部に複数の受信部からの中間信号を提供するように形成されたスイッチ部を含む。スイッチ部と合成部とに接続されたチャネル復号部によって、スイッチ部により選択された中間信号、または合成部からの合成済みの中間信号がデータストリームを提供するために復号化される。
【０００９】
本発明に係る受信機は、制御部を利用して２つの動作モードをとることが可能である。その際、第一の動作モードでは、少なくとも１つのデータストリームが、受信された無線信号に対応して復号化される。また、第２の動作モードでは、同一の無線信号の復調または同一内容の無線信号の復調によって取得される２つまたは複数の中間信号が合成され、１つの合成済みの中間信号になる。従って、信号内の符号化されたデータストリームの品質が向上される。個々に受信された無線信号を介して取得された、２つの中間信号の合成は、ダイバーシティ受信として公知である。その際、信号の合成は、受信品質を向上させる役目を果たす。スイッチ部によって、２つまたは複数の受信機システムにおいて、１つまたは複数のデータストリームを提供するための１つまたは複数の無線信号を復調し、復号化することが可能である。さらに、無線信号から取得された中間信号の合成によって、それぞれの信号の受信品質を向上させることが可能である。
【００１０】
好適な実施形態として、制御部が、動作モードを選択するために設けられる。その際、制御部は、第２動作モードでは同一の無線信号に受信部を調整し、及び第１動作モードでは異なる無線信号に受信部を調整するように受信部と接続される。この方法で、異なる無線信号に含まれている複数のデータストリームを同時に受信すること、またはダイバーシティ受信のために、同一の無線信号に受信部を調整することが可能となる。これにより、受信品質が向上される。
【００１１】
特に、各中間信号はフレームを有する。フレーム内には複数のデータサービスがブロックとしてそれぞれ配列され、制御部は、時間が重ならずに複数の中間信号のブロックが受信されるときに、第１動作モードと第２動作モードとの間の切替えを行うために、ブロックの時間位置を検出する検出部を有する。これにより、複数のデータサービスを同時に利用し、さらに複数の中間信号の合成によって品質向上を利用することが可能となる。
【００１２】
さらに、異なる送信源の２つのデータサービスを同時に取得し、ディバーシティ受信を利用するために、スイッチ部は、第１動作モードではチャネル復号部に第１及び第２中間信号を提供するように実装してもよい。制御部は、第２動作モードでは、第１中間信号の元になる無線信号と、第２中間信号の元になる無線信号とを受信するために、複数の受信部を交互に調整する。この方法により、異なる送信源の２つの異なるデータストリームを受信することが可能となる。また、時間が重ならないデータストリームがブロックで伝送される場合にダイバーシティ受信を適用することが可能となる。従って、信号品質の向上と、それに伴うビットエラー率の低減が可能となる。
【００１３】
好適な実施形態として、合成部は、合成済みの中間信号を取得するために中間信号の和を計算してもよい。特に、和を計算する前に、中間信号の元となる無線信号の各受信品質に従った重み係数によって中間信号の重み付けを行ってもよい。
【００１４】
好適な実施形態として、中間信号が、フレーム内のブロックとして提供される複数のデータサービスを含んだアンサンブルを有する。そして、スイッチ部は、デインターリーバ部に中間信号を提供するように構成されてもよい。デインターリーバ部は、中間信号から１度に少なくとも１つのブロックを選択し、及びチャネル復号部に連続してブロックを提供する。特に、時間の重なった異なる中間信号のブロックを一時的に格納し、更なる別のスイッチ部によって異なる中間信号のブロックを連続してチャネル復号部へ出力させる記憶部を有してもよい。チャネル復号部は、複数のデータストリームを提供するための異なる中間信号のブロックを復号化するように形成されてもよい。
【００１５】
本発明のさらに別の観点によれば、デジタル無線信号の受信、及びデータストリームの提供のための方法が実現される。本方法は、複数のデジタル無線信号を受信するステップと、複数の無線信号のそれぞれを中間信号に復調するステップと、第１動作モードでは復号化のために少なくとも１つの中間信号を選択し、または第２動作モードでは中間信号の品質向上のために複数の中間信号を合成して合成済みの中間信号を生成するステップと、選択された中間信号、または合成済みの中間信号をデータストリームに提供するために復号化するステップと、を含む。
【００１６】
本発明に係る方法は、複数の無線信号を並行して受信するための受信可能性をダイバーシティ受信の主旨において持ち得る一方、利用者に、複数の異なるデータストリーム、例えば音声データストリーム及びそれ以外のデータストリームを提供するために利用可能であるという利点を持つ。
【００１７】
特に、第２動作モードでは、同一の無線信が複数回受信され、第１動作モードでは、異なる無線信号が受信される。
【００１８】
好適な実施形態として、各中間信号はそれぞれ複数のフレームを有し、フレーム内では複数のデータサービスがブロックとしてそれぞれ配列される。複数の中間信号のブロックの時間位置が検出され、時間が重ならずに複数の中間信号のブロックが受信されるときに、複数のデータストリームを取得して中間信号の品質を向上させるために第１動作モードと第２動作モードとの間の切替えが行われる。
【００１９】
特に、中間信号はフレーム内にブロックとして提供される複数のデータサービスを含むアンサンブルを有し、その際、複数の中間信号から１度に少なくとも１つのブロックが選択され、選択されたブロックが連続して復号化される。特に、時間が重なった異なる中間信号のブロックが一時的に格納され、ブロックは復号のために連続して転送される。
【発明を実施するための最良の形態】
【００２０】
以下、添付した図面に基づいて、本発明の好適な実施形態について詳細に説明する。
【００２１】
図１には、２つの受信パス２，３を備えたＤＡＢ受信機１のブロック図が示されている。このようなシステムは、二受信機システムとも呼ばれている。各受信パス２，３は、受信される無線信号それぞれを中間周波数へと復調するために、無線信号を受信するアンテナ４を有している。無線信号は、各前置増幅部５で周波数変換され、フィルタリング処理される。続いて、各中間信号が各Ａ／Ｄ変換部（Ａｎａｌｏｇ／Ｄｉｇｉｔａｌ−Ｗａｎｄｌｅｒ）６に供給される。Ａ／Ｄ変換部６は、信号をサンプリングし、デジタル化する。後続のミキサ及びフィルタ部７において、デジタル化された中間信号が、複合ベースバンドに周波数変換され、新たにフィルタリング処理される。さらに、周波数変換されフィルタリング処理されたデジタル中間信号は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）復調部８に伝達される。ＯＦＤＭ復調部８において、周波数変換されフィルタリング処理されたデジタル中間信号は、ＦＦＴ（Ｆｉｒｓｔ  Ｆｏｕｒｉｅｒ  Ｔｒａｎｓｆｏｒｍａｔｉｏｎ：高速フーリエ変換）復調及びＤＱＰＳＫ（Ｄｉｆｆｅｒｅｎｔｉａｌ  Ｑｕａｄｒａｔｕｒｅ  Ｐｈａｓｅ  Ｓｈｉｆｔ  Ｋｅｙｉｎｇ：差動四相位相偏移変調）復調に従って復調される。そして、２つの受信パス２及び３の第１のＯＦＤＭ中間信号Ｚ１及び第２のＯＦＤＭ中間信号Ｚ２が取得される。ＯＦＤＭ中間信号Ｚ１、Ｚ２における受信された無線信号の変調は、従来技術において十分公知であり、従ってここではさらに詳細には記載しない。
【００２２】
ＤＡＢ標準規格（ＥＮ３００４０１）の場合、サービスとしての個々のラジオ番組はアンサンブル（Ｅｍｓａｍｂｌｅ）に統合され、併せて変調される。アンサンブルは、送信周波数で伝送される。典型的なＤＡＢ単一受信機システムは、アンサンブルを復調し、復号化することが可能である。その際、ＤＡＢ受信機の利用者は、アンサンブルの中から受信したいサービスを選択し、音声サービスの場合には聴きたいサービスを選択する。択一的に、または追加的にも、データサービス等の更なる別のサービスが選択されることが可能である。更なる別のサービスは、同一のアンサンブルで伝送されることが可能である。しかし、多くのサービスエリアでは、１つ以上のアンサンブルが異なる送信周波数で受信される。従って、従来のＤＡＢ受信機の利用者は、最初に所望のアンサンブルを選択し、続いて選択したアンサンブル中の所望のサービスを選択する。ＤＡＢ受信機の利用者が、異なるアンサンブル、即ち異なる周波数に割り当てられている２つのサービスを同時に受信したい場合、単一受信機システムでは不可能である。本理由から、以下では、異なるアンサンブルの２つのサービスの受信を可能にする二受信機システムが提案される。
【００２３】
さらに、ダイバーシティによって、信号の受信が改善可能であることが公知である。その際、同一の信号が２つの異なるアンテナによって受信され、それによって取得された中間信号が、合成部において互いに合成される。従って、信号中のエラー率が低減される。信号の合成は、例えば両信号が評価され、品質が良い方の信号が選択されて、他方の信号がその都度拒否されることによって行われる。さらに、合成は、両信号の加算または重み付け加算によって行われる。その際、重み係数は、対応する無線信号または中間信号の信号対雑音比に依存する。その代わりに、ダイバーシティ受信を、完全または部分的に同一のサービスまたはプログラムを含む異なる無線信号の受信によって実現してもよい。
【００２４】
前置増幅部５は、周波数選択信号ＦＷ１、ＦＷ２を用いて、それぞれ特定の受信周波数に調整されることができる。従って、ダイバーシティの場合、アンテナ４は同一の受信周波数で受信を行う。（異なるアンサンブルの２つのサービスが受信される必要がある場合、第１の前置増幅部５は異なる受信周波数に、即ちアンサンブルの両受信周波数に調整されることが可能である。）
【００２５】
図２には、本発明に係るＤＡＢ受信機１の第２部分が示されている。ＯＦＤＭ中間信号Ｚ１及びＺ２は、スイッチ及び合成部１０に供給される。スイッチ及び合成部１０では、選択された動作モードに従って、両ＯＦＤＭ中間信号Ｚ１，Ｚ２の１つまたは両方が選択される、または、両中間信号Ｚ１，Ｚ２が互いに合成されて、合成された中間信号になる。引き続き、合成されまたは選択された中間信号Ｚが、追加的な記憶部１２と接続されているデインターリーバ部１１に供給される。デインターリーバ部１１は、対応するインターリーバ内の送信装置でスクランブリングされたビット順序を本来のように復元し、チャネル復号部１３に、選択されまたは合成された中間信号を提供する役目を果たす。チャネル復号部１３は、中間信号Ｚを復号化し、受信されるデータの形態に従って、復号化した中間信号Ｚを音声復号部１４またはデータ復号部１５に提供する。従って、対応する音声データストリームＡまたは有効データストリームＤが、出力されて利用者に提供される。復号化されたデータストリームは、ビデオ情報、音声情報、番組情報及び広告情報等の、任意の形態の情報を含んでいる。
【００２６】
図３には、ＤＡＢ受信機１の部分図が詳細に示されている。ＤＡＢ受信機１は、スイッチ及び合成部１０、デインターリーバ部１１及び記憶部１２を含んでいる。スイッチ及び合成部１０は、スイッチＳ１、Ｓ２を備えたスイッチ部１６と、合成部１７とを含んでいる。動作モードに従って、制御部１８は、スイッチ部１６を制御する。従って、両ＯＦＤＭ中間信号Ｚ１、Ｚ２の少なくとも１つは、デインターリーバ部１１に転送される（スイッチＳ１はＡと、Ｓ２はＤと接続される）。第２動作モードでは、制御部１８は、両ＯＦＤＭ中間信号Ｚ１及びＺ２が合成部１７に転送されるように、スイッチ部１６を駆動する（スイッチＳ１はＢと、スイッチＳ２はＣと接続される）。合成部１７において、両ＯＦＤＭ中間信号Ｚ１、Ｚ２は、上記の方法で、信号の品質向上を取得するために合成される。
【００２７】
合成されたＯＦＤＭ中間信号は、デインターリーバ部１１に転送され、デインターリーバ部１１から、直接スイッチＳ３（切替え設定Ｆ）を介して、後続のチャネル復号部１３に転送される。異なるアンサンブルの２つのサービスが同時に受信される必要がある場合、両ＯＦＤＭ中間信号Ｚ１、Ｚ２は合成部１７で合成されずに、デインターリーバ部１１に転送される（スイッチＳ１はＡと接続され、スイッチＳ２はＤと接続される）。デインターリーバ部１１は、ＯＦＤＭ中間信号Ｚ１，Ｚ２のアンサンブルの両サービスが、それぞれの中間信号の対応するブロックとして、同時にまたは時間が重なってデインターリーバ部１１に届く場合のために設けられている。デインターリーバ部１１は、記憶部１２と接続されている。従って、同時に届いた復号化されるべきブロックを、互いに時間をずらすことにより、連続してチャネル復号部１３に転送することが可能である。例えば、ＯＦＤＭ中間信号Ｚ１，Ｚ２のブロックが同時に届いた場合、デインターリーバ部１１は、ブロックのうちの１つを記憶部１２に一時格納し、他方のＯＦＤＭ中間信号のブロックが完全にチャネル復号部１３に伝達された時点で、後続のチャネル復号部１３に転送する。デインターリーバ部１１は、動作モードに従って、１つまたは複数のＯＦＤＭ中間信号を処理するため、ビット順序が復元される。
【００２８】
制御部８は、動作モードに従って、前置増幅部５の受信周波数を調整する。ダイバーシティ受信の場合、同一の無線信号が、２つの異なる受信パス２、３によって受信される必要がある一方、例えば、第１動作モードでは、異なるアンサンブルの異なるサービスが、同時に異なる無線信号によって受信される必要がある。即ち、第１動作モードでは（１つまたは複数のサービスの受信）、制御部１８は、前置増幅部５を異なるアンサンブルに対応した異なる無線信号に調整する。ダイバーシティ受信では、制御部１８は、受信周波数を同一の周波数に調整するので、両受信パス２、３の同一の無線信号が受信される。従って、スイッチ１６は、二受信機システムにおいてダイバーシティ受信を実現するという利点を持ち、無線信号のエラー率を低減することが可能である。さらに、スイッチ１６は、異なるアンサンブルの複数のサービスを受信し、利用者に同時に提供するという可能性も提供する。
【００２９】
ＤＡＢの場合、受信されるべきサービスを含んだアンサンブルのＯＦＤＭシンボルが、復号化される必要がある。従って、異なる受信周波数の２つの異なるアンサンブルが受信される際に、アンサンブルの対応するサービスを含むブロックが互いに時間がずらされて送信された場合、ダイバーシティ受信を実現し、利用者に両サービスを提供するという可能性が生まれる。図４には、２つのアンサンブルが図式的に示されている。その際、第１アンサンブルは第１サービスＤ１を、第２アンサンブルは第２サービスＤ２を、互いに時間をずらして送信する。各アンサンブルは、複数のブロックを含む同一の長いフレームで伝送される。その際、各フレームは、ＮＵＬＬシンボル、ＴＦＰＲシンボル及びＦＩＣシンボルによって開始される。これらのシンボルによって、受信機は、フレームの同期を検出し、受信者に、どの形態の情報が続いてデータブロックで伝送されるかを示す情報を提供することが可能である。ＮＵＬＬシンボル、ＴＦＰＲシンボル及びＦＩＣシンボルは各フレームに存在し、同一の情報を含んでいるので、これらシンボルはフレームごとに評価される必要はなく、各第２フレーム、各第３フレーム等でのみ評価されればよい。結果として、十分に厳密な同期と十分な内容情報が取得される。従って、受信パスは特定の時間の間サービスの受信のため、それぞれのブロックに関する無線信号の受信に切替えることが可能である。一方、それ以外の時間では、受信パスは他の周波数に調整されている。この場合、複数の、即ち２つのサービスの受信が可能になり、同時にダイバーシティ受信が利用される。その際、スイッチ部１６は、第２の動作モードに対応して切替えられる。従って、両ＯＦＤＭ中間信号Ｚ１、Ｚ２は、合成された中間信号を生成するために、合成部１７に伝達される。合成された中間信号は、デインターリーバ部１１によって、チャネル復号部に伝達される。制御部１８は、周波数選択信号ＦＷ１，ＦＷ２を用いて、第１データサービスＤ１のタイムスロット内の第１データサービスＤ１の受信と、第２データサービスＤ２の対応するタイムスロット内の第２データサービスＤ２の受信とに交互に切替える。従って、最初に、第１アンサンブルの第１データサービスＤ１のシンボル０２０〜０２２が、両受信部によって受信され、復号化される。続いて、第２データサービスＤ２のシンボル０８〜０１０が、両受信部によって受信され、復号化される。
【００３０】
即ち、制御部１８は、周波数信号ＦＷ１及びＦＷ２を用いて、受信周波数を両受信パス２、３での第１アンサンブルの受信に調整し、第１データサービスＤ１に関するブロック０２０〜０２２を受信する。続いて、制御部は、両受信パスで第２データサービスＤ２のブロック０８〜０１０を受信するために、第２アンサンブルの受信周波数に受信周波数を調整する。しかし、定期的な間隔で、各アンサンブルのフレームの開始ブロックを復号化する必要があるので、この場合、再び第１動作モードに切替えられる。さらに、両アンサンブルの中間信号Ｚ１及びＺ２は（その際、受信パスは異なる受信周波数に調整されている）、デインターリーバ部１１に転送される。この切替えは、フレームの開始ブロックの受信の必要性に応じて、各第２フレーム、第３フレーム等において実行されてもよい。
【００３１】
制御部１８は、中間信号Ｚ１及びＺ２を受け取ってもよく、中間信号Ｚ１及びＺ２の信号品質を、例えば、信号対雑音比によって求めることが可能である。制御部１８は、中間信号Ｚ１及びＺ２の信号品質に従って、第１動作モードと第２動作モードとに切替えてもよい。その場合、優先順位制御が有効であり、各サービスに特定の優先順位を設定することが可能である。その際に、音声信号での中断は利用者にすぐに気付かれるので、音声データサービスに、有効データサービスよりも高い優先順位が割り当てられることが有効である。ＤＡＢ受信機は、受信が困難な状況において、即ち、受信信号の信号品質が悪い場合にダイバーシティ受信を利用する。即ち、両受信パス２、３の前置増幅部５の受信周波数を同一の受信周波数に調整し、第２の動作モードに基づいて、受信された音声信号の品質改善のために、合成部１７にＯＦＤＭ中間信号Ｚ１，Ｚ２を供給することが可能である。
【００３２】
ＤＡＢ受信機１は、図１〜図３との関連で記載されたとおり、両受信パス２，３のＡ／Ｄ変換部６の後に記憶部を設けることにより実現されてもよい。その場合には、記憶部は、一体として実現されたミキサ及びフィルタ７、並びに復調部８に、第１及び第２アンサンブルの該当するブロックを連続して伝達する。従って、デインターリーバのための、ブロック伝達に掛かる追加的な切替えコストが低減され得る。
【図面の簡単な説明】
【００３３】
【図１】デジタル無線信号を受信するための二受信機システムの第１部分のブロック図を示している。
【図２】第１及び第２データストリームを取得するための二受信機システムの第２部分を示している。
【図３】スイッチによって調節可能な動作モードを明示するための、図１及び図２の二受信機システムの部分図を示している。
【図４】利用者に２つの異なるサービスを提供するための、２つのアンサンブル間の切替えを示している。
【図１】
2009516444.tif 000003
【図２】
2009516444.tif 000004
【図３】
2009516444.tif 000005
【図４】
2009516444.tif 000006
【国際調査報告】
2009516444.tif 000007
2009516444.tif 000008
2009516444.tif 000009
2009516444.tif 000010
2009516444.tif 000011
2009516444.tif 000012